(57)【要約】      （修正有）【課題】疎水性ワセリンを主たる成分とする粘着剤の吸着性能を利用してウイルス等を捕捉可能なマスク用多重層装着シートを提供する。【解決手段】耳掛け部を備えるマスク本体１等に装着される、不織布からなる多重層シート２０からなり、多重層シートの内側に疎水性ワセリンを主成分とし、保湿成分として主としてグリセリンを含有する粘着剤を塗布して形成され、呼気水分を保有可能な捕捉層３０を備え、マスク等の前面からの通気を多重層シートで受け、内側に塗布された捕捉層を通過するウイルスを含め、微粒子等を捕捉する。【選択図】図１
0003228196.tif 000002
【実用新案登録請求の範囲】
【請求項１】
耳掛け部を備えるマスク本体（１）等に装着される、不織布からなる多重層シート（２０）からなり、多重層シートの内側に疎水性ワセリンを主成分とし、保湿成分として主としてグリセリンを含有することある粘着剤を塗布して形成され、呼気水分を保有可能な捕捉層（３０）を備え、マスク等の前面からの通気を多重層シート（２０）で受け、内側に塗布された捕捉層（３０）を通過するウイルスを含め、微粒子等を捕捉するようにしてなることを特徴とするマスク用多重層装着シート。
【請求項２】
前記捕捉層の一方が疎水性ワセリン層で、他方がワセリンとグリセリンを含む保水性クリーム層である請求項１記載のマスク用装着シート。
【請求項３】
捕捉層（３０）の一方又は双方にヒアルロン酸、アルギン酸、プロテオグリカン及びペクチンからなる群から選ばれる１種以上を含む陰性荷電を持つ成分、キトサンを含む陽性荷電を持つ成分、珪藻土、ウイルス受容体のいずれかを添加する請求項１記載のマスク用装着シート。
【請求項４】
前記粘着剤の多重層シートが二層又は四層の難燃性ポリエステル不織布であって、多重層シート内面のワセリン又はクリーム塗布量が塗布面積６０〜８０ｃｍ2当たり０．３〜２．０ｇ、好ましくは１．０〜１．５ｇであり、多重層シートの通気密度との組み合わせにより選択される請求項１記載のマスク用装着シート。
【請求項５】
多重層シートが厚手の不織布とキッチンペーパー（２３）とからなり、マスクに取り付け、マスク後面にペーパー層、ワセリン層、クリーム層、再びペーパー層の多重障壁を形成する請求項１〜３のいずれかに記載のマスク用装着シート。
【請求項６】
最終ペーパー層にヒアルロン酸、ペクチンあるいはプロテオグリカンを含侵させて炎症回避能又はキトサンを含侵させて抗菌性と陽電荷能を形成する請求項４記載のマスク用装着シート。
【考案の詳細な説明】
【技術分野】
【０００１】
本考案は、疎水性ワセリンを主たる成分とする粘着剤の吸着性能を利用してウイルス等を捕捉可能なマスク用多重層装着シートに関する。
【背景技術】
【０００２】
近年、花粉のみならず、ウイルスや微小粒子状物質（ＰＭ２．５）等の大気汚染物質の捕集を目的としたマスクが提案されている。例えば、静電気の帯電加工を施した不織布によりウイルスや微小粒子状物質を吸着・捕捕集を目的としたマスクが提案されている。また、平均繊維径が数百〜数千ナノメートルの超微細繊維であるナノファイバー不織布を使用したマスクが知られている（例えば、特許文献１）。しかしながら、従来の帯電加工を施した不織布では吸引され難い０．３μｍ程度の粒子の捕集力が弱く、他方、平均繊維径が数百ナノメートル程度のナノファイバー不織布では０．１μｍよりも小さい粒子の捕集力が弱いのが実状であった。そこで、花粉はもとより、様々な大きさのウイルスや微小粒子状物質等の捕集が可能なマスクを提供することを課題として、帯電性とナノファイバーの双方を有する不織布によりマスクが提案される（特許文献２）。他方、薬剤を利用するタイプとしてシンナムアルデヒドを主成分とするシナモン抽出物を吸着層として設けるインフルエンザ予防用マスクが提案される（特許文献３）
【先行技術文献】
【特許文献】
【０００３】
【特許文献１】特開２０１５−１９６２６３号公報
【特許文献２】実用新案登録第３２２１３４８号公報
【特許文献３】特開２０１９−７３８４５号公報
【考案の概要】
【考案が解決しようとする課題】
【０００４】
しかしながら、マスクの供給を効果的にするためには、不織布を用いた使い捨てタイプである必要があり、ウイルスのような超微粒子の遮断性を付与するにはコスト面から適当でない。また、長時間使用には口周辺の肌荒れを惹起する問題、閉ざされたマスク空間に呼気が排出される為、口臭などが残る問題、しかも呼気に含まれる水分などにより形状が変化しやすく、呼吸がしにくくなるなどの種々の問題がある。他方、後者の方法では薬効により特定のウイルスに対して有効であっても特異性が強く、広くウイルスを含め、花粉等に対し有効な捕捉性を示せないという問題がある。
【０００５】
そこで、本考案は新たな捕捉層の物理・化学的物性により花粉だけでなく、広く各種ウイルスの捕捉に有効な優れたマスクを提供することを課題とする。
【課題を解決するための手段】
【０００６】
本考案者は、上記の課題を解決すべく鋭意検討を重ねた結果、使い捨てマスク不織布にワセリンを含有主成分とし、要すればグリセリンを添加して粘着剤物性を調整し、これを塗布して花粉等の捕捉層を形成すると、その物理・化学的性質によりそのまま、又は呼気により正又は負電荷を発揮する成分を追加含有させることができ、花粉だけでなく、ウイルスに対して優れた捕捉性能を帯有させることができることを見出し、完成したものである。
【０００７】
すなわち、本考案は、不織布からなる、多重層シートの内側にワセリンを含有主成分とし、保湿性成分として主としてグリセリンを含有することある粘着剤を塗布して呼気水分を保有可能な捕捉層を備え、マスク本体に収納させることにより、マスクを通過しようとするウイルス等の微粒子を多重層シートで受け、内側に塗布された粘着剤からなる捕捉層で通過する微粒子及びウイルス等を捕捉するようにしてなるマスク用多重層装着シートにある。
【考案の効果】
【０００８】
本考案のマスク用装着シートは不織布からなる多重層シートの内側にワセリンを含有主成分とし、保湿成分として主としてグリセリンを含有することがある、粘着剤を塗布して呼気水分を保有可能な捕捉層を形成するので、その物理的及び化学的性能によりマスクを通過した微粒子を効率よく捕捉して生体内への侵入を防ぐ効果がある。また、高い捕捉効果を持つことから、ウイルス粒子ばかりでなく、アレルゲンなどの飛沫粉塵、災害時の後に生ずる粉塵の捕捉に有効であるが、さらに、捕捉層は陰性及び陽性成分を含み、呼気による水分を保有して電荷捕捉機能を発揮することができるので、多様な捕捉能を持つことができる。陰性荷電を持つ成分としては、例えば、ヒアルロン酸、アルギン酸、プロテオグリカン、ペクチンなどが挙げられ、陽性荷電を持つ成分としてはキトサンなどが挙げられ、それぞれ０．０５〜０．５％の水溶液として染み込ませることができる。したがって、上記の電荷成分はすべて高い保水性を持つことから、捕捉層に有効に保有され、呼気から生じた水分によりイオン化して外気から侵入した電荷された粒子を確実に捕捉することができる。特に、インフルエンザの予防用としてはインフルエンザウイルス受容体としてシアル酸結合糖鎖含有分子をワセリンに配合してなるのが好ましい。なお、本考案のシートはマスクの補助シートだけでなく、広く空気清浄機のフィルターとしても使用できる。
【図面の簡単な説明】
【０００９】
【図１】本考案のマスクの第１実施例の分解斜視図で、耳掛け部を有するマスク本体１と二層シートからなる装着シート２０とからなる。
【図２】本考案のマスクの第２実施例の分解斜視部で、二層シートの内面にグリセリン入りワセリンを塗布し、その外側を通気性のあるキッチンペーパーで包んで四層シートとしたもので、キッチンペーパーには１０％ＢＧ（ブチレングリコール）水溶液に各種荷電成分を添加し、塗布したものを使用する。
【図３】本考案の二層シートの保水性粘着層の塗布状態（ａ），折り畳んだ状態（ｂ）及び外側をキッチンペーパーで包んだ状態（ｃ）を示す写真である。
【図４】本考案の二層シートの図２（ｂ）及び（ｃ）をマスク本体に装着した状態を示す写真（ａ），（ｂ）である。
【図５】炭素微細粉末粒子（以下炭素粉末粒子）を用いた試験のシステムを示す。
【図６】ガーゼマスク（４層）を用いた試験を示す。
【図７】市販の不織布マスクを用いた試験を示す。
【図８】ワセリンを塗布する前のポリエステル不織布を用いた試験を示す。
【図９】ワセリン塗布ポリエステル不織布をキッチンペーパーで包んだものをサンプルとして試験を示す。
【図１０】上記試験（図９）に用いたワセリン塗布ポリエステル不織布を用いた試験を示す。
【考案を実施するための形態】
【００１０】
本考案のマスクは、図１に示すように、耳掛け部１１を有するマスク本体１と不織布２１，２２を二つ折りしてなる二層シートからなる装着シート２０との組み合わせからなる。装着シートはマスク本体の装着部１０に内装してもよいし、外付けとしてもよい。
【００１１】
マスク本体１は各種マスクが利用できる。他方、装着シートは難燃性ポリエステル製の不織布を使用したが、各種化学繊維からなる不織布が使用可能である。本考案の装着シート２０は内側に形成する粘着剤からなる捕捉層３０が重要であり、多重層シートの物性は捕捉層３０を形成する粘着剤が多重層シート２０の外側２２から滲出しないように粘着剤の粘性等の物性を考慮して選択される。不織布の目付は、生産性、粒子捕集力、通気性の観点から、３〜４０ｇ／ｍ2であることが好ましく、６〜３０ｇ／ｍ2であることがより好ましく、１０〜２０ｇ／ｍ2であることが特に好ましい。また、多重層シート２には二層シートであっても四層シートであってもよく、厚手の吸湿性通気性を有する不織布を使用してもよいし、不織布二層シートをキッチンペーパー２３で包んで形成してもよい（図３（ｂ）（ｃ））。シートの前面と後面とは、前面２２に対し後面２１を１．５〜２．０倍の厚みとするのが好ましい。装着シートはマスクに合わせたサイズで横１０ｃｍ、縦８ｃｍ程度であるが、横１２ｃｍ、縦９ｃｍと少し大きめとしてもよい。図４（ａ）（ｂ）は図３の装着シート（ｂ）（ｃ）を装着した状態を示す。
【００１２】
粘着剤としては疎水性ワセリンを主たる成分として組成する。かかる成分は優れた疎水
性と粘着性を示すので、微粒子の捕捉には有利である。その塗布量は二層シートの不織布の目付サイズ、保水性粘着剤の粘性を考慮して決定される。通常３〜４０ｇ／ｍ2の不織布では６０〜８０ｃｍ2当たり０．３〜２．０ｇが適当で、１．０〜１．５ｇくらいが最適である。装着シート２０は滅菌したプラスチックバッグ内に保存する。使用後のシートは感染を防ぐため、焼却廃棄物として処理できる。疎水性ワセリンの物性を改善するために、保水性又は保湿性成分として主としてグリセリンを添加することができる。
【００１３】
また、捕捉層３０には陰性及び陽性成分を粘着剤に添加してもよいが、装着シートを包
囲するキッチンペーパーに含侵させて使用することができる。図２は本考案のマスクの第２実施例の分解斜視部で、二層シート２０の内面にグリセリン入りワセリンを塗布して捕捉層３０を形成し、その外側を通気性のあるキチンペーパー２３で包んで四層シートとしたもので、キチンペーパー２３には１０％ＢＧ（ブチレングリコール）水溶液又は３〜５％グリセリン水溶液に各種荷電成分を添加し、塗布したものを使用する。陰性荷電を持つ成分としては、例えば、ヒアルロン酸、アルギン酸、プロテオグリカン、ペクチンなどが挙げられ、陽性荷電を持つ成分としてはキトサンなどが挙げられ、それぞれ０．００５〜０．５％の１０％ＢＧ水溶液として染み込ませることができる。上記の電荷成分はすべて高い保水性を持つことから、捕捉層に有効に保有され、呼気から生じた水分によりイオン化して外気から侵入した電荷された粒子を確実に捕捉することができる。インフルエンザ対策としてはインフルエンザウイルス受容体としてシアル酸結合糖鎖含有分子をワセリンに配合してなるのが好ましい。
【００１４】
（好ましい具体例）
本考案の具体例を以下のように作成し、具体的試験を行い、その評価を行った。
１．マスクに装着する２重ポリエステル不織布シートとこれを包む２重のキッチンペーパーからなる多重層シートを用いた。内部のポリエステルシートにはワセリン、これに対面にはワセリン配合のハンドクリーム、あるいはグリセリン配合のワセリンを塗布し、マスクを通過した微細粒子をワセリンの粘着力に基づく物理的捕捉システムを構築した。
２．２重ポリエステルシートを包むキッチンペーパーを組み込み、マスクに面する半面には陽電荷および抗菌性を有するキトサンをしみ込ませた。もう一方の半面には負電荷を有するヒアルロン酸、あるいはプロテオグリカン、あるいはアルギン酸、をしみ込ませた。これらの電荷を有する成分によってマスクを通過してきた荷電粒子を捕捉するシステムを構築した。
３．２に記した荷電成分は１０％ブチレングリコール（ＢＧ）に溶解させた後、乳化剤を加えてワセリンに配合し、１に記したワセリン層に加えることができる。この多重層シートにより物理的、化学的にマスクを通過した微細粒子を捕捉する仕組みを構築した。
４．１に記したワセリン層にハンドクリームなど香料を含む市販品あるいは珪藻土を配合することによりマスク装着に伴う呼気や口臭などによる不快感を軽減する。
５．２に記した陰性荷電を持つ成分としてプロテオグリカンを使用することにより、マスク装着によって生じた炎症を抑制する。
６．１に記したポリエステルシートを厚手のレンジシートを使用してマスクと鼻との間に空間を保つことで、マスクの変形に伴う呼吸のトラブルを回避した。
７．以上の機能を備えた多重シートをマスクに装着することはこれまで困難であったウイルスなど超微細粒子を効率よく捕捉することが可能なデバイスである。
【００１５】
マスク装着多重シートの作成法
１．ワセリン塗布シート
厚手のレンジ用フィルターを下図のように裁断する。使用時には中央で折り曲げてマスクに装着する。
0003228196.tif 000003
右半面（マスクに面した内側）にはワセリン０．５〜１．５ｇを塗布する。
あるいは１０％ブチレングリコール（ＢＧ）に溶かしたキトサン、あるいはディエチルアミノエタノールなどを乳化剤の存在下でワセリンに混合したものを塗布する。
左半面（顔に面した内側）
右半面にワセリンを塗布十分塗布した場合は特にワセリンを塗布しないでそのまま使用することもできる。または、ワセリンを０．５ｇ〜１．５ｇ塗布する。あるいはワセリンに市販のハンドクリーム（ニベア（登録商標）など）、グリセリン、１０％ＢＧに溶かした陰性荷電成分（例えば、ヒアルロン酸、プロテオグリカン、アルギン酸、ペクチン、クエン酸など）を乳化剤の存在下で添加混合したものを塗布する。
0003228196.tif 000004
２．ワセリン塗布シートを包むキッチンペーパー（通気性があって形状が保てる不織布、ペーパーなどでもよい）。
このシートはワセリンなど油性分が染み出てマスクや顔に付着する目的もある。
一方でワセリンシートを通過した微細な粒子や微細荷電粒子を捕捉する目的がある。
0003228196.tif 000005
上図のように市販のキッチンペーパーを裁断する。
ワセリン塗布シートはワセリン塗布部分が互いに向かい合うように折りたたむ。
上半面はワセリンシートを畳んだ後の左半面を、下半面はワセリン塗布シート右半面を包むように折りたたむ。
上半分はマスクに接する面、下半分は顔に接する面。
上半分には１０％ＢＧに溶かしたキトサン（０．０１〜０．５％）、あるいはエチレンディアミンエタノール（ＤＥＡＥ）など陽電荷成分をしみ込ませる。
下半分には１０％ＢＧに溶かしたヒアルロン酸、プロテオグリカン、アルギン酸、クエン酸、ペクチンなど、何れかあるいは混合したものを０．０１〜０．５％液としてしみこませる。
キッチンペーパーには微量の香料あるいはメントールなどを添加してもよい。
これらの添加物はワセリン層にも配合できる。
ワセリン塗布多重シートはマスクを通過した微細粒子をまずペーパーで捕捉し、さらにイオン交換作用で捕捉し、さらにこの障壁を通過した微細粒子をワセリン配合成分で２層に仕掛けた粘着物質によって物理的に捕捉する。そしてこれでも通過した微細粒子をペーパーと陰性荷電を持った成分で捕捉する仕組みである。
【００１６】
（試験例）
ワセリン多重マスクの微細粒子捕捉試験
炭素微細粉末粒子（以下炭素粉末粒子）を用いた試験の装着シートの試験構造を図５に示した。試験するサンプル（例えば、マスク、ワセリン塗布シートなど）の上に５０ｍｇの炭素微細粉末粒子を直径３ｃｍに広げる。その下にはサンプルを保持する筒高さ１ｃｍ、内径７．５ｃｍの筒を設置する。
サンプルを通過した炭素微細粒子を捕捉する接着テープをこの下にセットする。ドライヤーとサンプルの間にはドライヤーから噴出された風を逃がさないようにドライヤーに筒を装着する。そして、ドライヤーからは３秒〜５秒強風を送る。
【００１７】
図６はガーゼマスク（４層）を用いた試験を示す。
ガーゼマスク（４層）に炭素粒子５０ｍｇを直径３ｃｍの円形に広げてドライヤーで送風した。炭素粒子の半分以上がマスクを通過して接着テープに捕捉された。
【００１８】
図７は市販の不織布マスクを用いた試験を示す。
ドライヤーにて噴射後マスクの上の炭素粒子は広がったのちマスクに凸凹があるので、筒の隙間から広がっている（図７の３−１参照）。
図７の３−３にはマスクを通過した微細な粒子が検出される。○でその部分を示した。
【００１９】
図８はワセリンを塗布する前のポリエステル不織布を用いた試験を示す。
図８の４−１に示す、レンジ用ポリエステル（厚手）不織布に炭素粒子を直径４ｃｍの円形に広げた。図８の４−２はドライヤーで噴射後不織布シートの裏側祖写した写真を示す。シートには捕捉された粒子の一部がみられる。図８の４−３はシートを通過した炭素粒子を接着テープで捕捉した結果を示す。ほとんどの粒子がシートを通過したことを示す。
【００２０】
図９はワセリン塗布ポリエステル不織布をキッチンペーパーで包んだものをサンプルとして試験を示す。図９の５−３には炭素粒子の噴射後、キッチンペーパーに接するワセリン塗布ポリエチレンシートの写真を示す。炭素の黒い粒子は見当たらない。最終捕捉の接着テープにも炭素粒子は検出されない。この条件では炭素粒子はサンプルを通過できていない。
【００２１】
図１０は上記の試験（図９）に用いたワセリン塗布ポリエステル不織布を用いた試験を示す。図１０の６−２にはドライヤーで噴射後のシート上の炭素粉末粒子を示す。この試験ではドライヤーに面したシートにはワセリンを塗布していない。ワセリンを可視化するために着色したワセリンを対面側に塗布しているため、一部のワセリンが反対側のシート面にもみられる。ドライヤーに面したシートの裏側には通過した炭素粉末粒子がみられる（図１０の６−３左半面）。他方、ドライヤーに面したシートを通過した炭素粒子は対面するワセリン塗布シートに捕捉されている（図１０の６−３右半面）。図１０の６−４に示すように、接着テープに炭素粉末粒子は全く検出されていない。
【００２２】
（試験結果）
この試験から、本考案に係るワセリン塗布ポリエステルシートは微細な炭素粉末粒子も全く通過させないことがわかる。この結果はワセリンあるいはワセリン配合成分を塗布したシートは超微細な粒子の通過を阻止する仕組みとして大変有用性が高いことを示している。
ウイルスのようなさらに微細な粒子の通過をマスク自体で阻止することは困難であるが、本考案ではウイルス粒子でも１次通過（マスク）２次通過（陽荷電成分塗布キッチンペーパー）、３次通過（ワセリン塗布シート）、４次通過（ワセリン配合成分シート）、５次通過（負荷電塗布キッチンペーパー）を逃れて人呼吸粘膜に届く割合は極めて低いものと判断される。
この試験から今日問題となっている新型コロナウイルスの感染を阻止するには有効なデバイスといえる。また感染患者からウイルスの外気への拡散も十分に減弱する機能を備えていると評価される。
【００２３】
（具体例の評価）
本考案によれば、ワセリン塗布により粘着剤により形成した捕捉層を有する多重層シー
トを装着したマスクが形成される。現在、使い捨てマスクの９０％以上は中国製であり、中国で大きな感染拡大が生ずるとマスクの供給は大問題となる。本考案によれば、中国製の使い捨てマスクに依存せずとも、多重層シートを利用することにより布マスクを使用後洗って、消毒して、繰り返し使用できるようにすることができる。
また、ウイルスのような超微細粒子の侵入を阻止するにはウイルス粒子より小さな孔を
持つフィルターを装着したマスクが必要となるが、このようなマスクは医療用では要求されても一般には高価すぎて現実的ではない。本考案によれば、ワセリン塗布により高性能の捕捉層を有するマスクとすることができ、ウイルス微細粒子の侵入を極力阻止することができる。すなわち、シートに粘着性を持つワセリンやワセリンとグリセリンを配合したクリーム（市販ニベア（登録商標））を使用することでマスクを通過した微粒子を物理的に捕捉することができる。さらにワセリンを塗布した層の外側にペーパーの層を置くと、ここに陰性荷電および陽性荷電を持つ生体分子をしみこませ、このことによりウイルスやその他の荷電を持つ粒子を捕捉することができる。この荷電性分子はワセリンにも組み込むことができる。これにより、布マスク層、ペーパー層、ワセリン層、クリーム層、再びペーパー層の多重障壁も実現することができる。多重障壁のマスクは、効率よく外部からのウイルスのような微細粒子を物理的、化学的に捕捉することができる。
さらに、顔の皮膚に接するペーパー部分にはヒアルロン酸あるいはペクチンあるいはプ
ロテオグリカンをしみこませたことにより炎症を回避できる。抗菌性と陽電荷を兼ね備えたキトサンをしみこませることでバクテリアに対する防御能を加えることができる。
さらに、呼気から生ずる臭いを消去するため、ワセリン層あるいはクリーム層に珪藻土
を配合することができる。クリームに含まれる香料もこの効果がある。夏場の暑い季節にはメントールなどを配合することが可能である。
なお、本考案においては、マスクに装着するワセリン塗布シートには通気性と形状の維
持を兼ね備えた厚手のレンジ用フィルター不織布を使用し、マスクと鼻の間に呼吸を妨げない一定の空間を確保できるようにするのがよい。
【符号の説明】
【００２４】
１  マスク本体
１１  耳掛け部
２０  装着シート
２３  キッチンペーパー
３０  捕捉層
【図１】
0003228196.tif 000006
【図２】
0003228196.tif 000007
【図３】
0003228196.tif 000008
【図４】
0003228196.tif 000009
【図５】
0003228196.tif 000010
【図６】
0003228196.tif 000011
【図７】
0003228196.tif 000012
【図８】
0003228196.tif 000013
【図９】
0003228196.tif 000014
【図１０】
0003228196.tif 000015
【手続補正書】
【提出日】令和2年7月14日(2020.7.14)
【手続補正１】
【補正対象書類名】実用新案登録請求の範囲
【補正対象項目名】全文
【補正方法】変更
【補正の内容】
【実用新案登録請求の範囲】
【請求項１】
耳掛け部を備えるマスク本体（１）に装着される、不織布からなる多重層シート（２０）からなり、多重層シートの内側に疎水性ワセリンを主成分とし、保湿成分として主としてグリセリンを含有することある粘着剤を塗布して形成され、呼気水分を保有可能な捕捉層（３０）を備え、マスクの前面からの通気を多重層シート（２０）で受け、内側に塗布された捕捉層（３０）を通過するウイルスを含め、微粒子を捕捉するようにしてなることを特徴とするマスク用多重層装着シート。
【請求項２】
前記捕捉層の一方が疎水性ワセリン層で、他方がワセリンとグリセリンを含む保水性クリーム層である請求項１記載のマスク用装着シート。
【請求項３】
捕捉層（３０）の一方又は双方にヒアルロン酸、アルギン酸、プロテオグリカン及びペクチンからなる群から選ばれる１種以上を含む陰性荷電を持つ成分、キトサンを含む陽性荷電を持つ成分、珪藻土、ウイルス受容体のいずれかを添加する請求項１記載のマスク用装着シート。
【請求項４】
前記粘着剤の多重層シートが二層又は四層の難燃性ポリエステル不織布であって、多重層シート内面のワセリン又はクリーム塗布量が塗布面積６０〜８０ｃｍ2当たり０．３〜２．０ｇ、好ましくは１．０〜１．５ｇであり、多重層シートの通気密度との組み合わせにより選択される請求項１記載のマスク用装着シート。
【請求項５】
多重層シートが厚手の不織布とキッチンペーパー（２３）とからなり、マスクに取り付け、マスク後面にペーパー層、ワセリン層、クリーム層、再びペーパー層の多重障壁を形成する請求項１〜３のいずれかに記載のマスク用装着シート。
【請求項６】
最終ペーパー層にヒアルロン酸、ペクチンあるいはプロテオグリカンを含侵させて炎症回避能又はキトサンを含侵させて抗菌性と陽電荷能を形成する請求項４記載のマスク用装着シート。